(57)【特許請求の範囲】
【請求項１】
管理センタと、移動体を有する無線通信システムの車載無線機に接続される携帯無線機において、
前記携帯無線機は、前記車載無線機と対をなし、
前記携帯無線機は、前記車載無線機に接続されている場合に、当該移動体のエンジンのＯＮ／ＯＦＦに応じて、携帯無線機の電源のＯＮ／ＯＦＦを制御し、
前記携帯無線機は、前記車載無線機に接続されていない場合に、当該携帯無線機が外部の無線装置への無線送信の動作を行う無線送信権利を獲得することを特徴とする携帯無線機。
【請求項２】
管理センタと、移動体を有する無線通信システムにおいて、
前記移動体は、車載無線機と、該車載無線機と対をなす携帯無線機とを有し、
前記携帯無線機は、前記車載無線機に接続されている場合に、当該移動体のエンジンのＯＮ／ＯＦＦに応じて、携帯無線機の電源のＯＮ／ＯＦＦを制御し、
前記携帯無線機は、前記車載無線機に接続されていない場合に、当該携帯無線機が外部の無線装置への無線送信の動作を行う無線送信権利を獲得することを特徴とする無線通信システム。
【請求項３】
前記請求項２に記載の無線通信システムにおいて、
前記車載無線機と前記携帯無線機には、前記外部の装置からの呼出情報として同一の情報が設定されたことを特徴とする無線通信システム。
【発明の詳細な説明】
【技術分野】
【０００１】
本発明は、携帯無線機及び無線通信システムに関し、特に、車載無線機と接続される携帯無線機及び無線通信システムに関する。
【背景技術】
【０００２】
例えば、防災デジタル無線システムの一例である消防デジタル無線システムなどでは、消防車や救急車などの車両に無線設備を搭載して、車両と外部の防災センタなどとの間で無線により通信することが行われる（例えば、非特許文献１、２参照。）。
【０００３】
【非特許文献１】ＡＲＩＢ  ＳＴＤ−Ｔ６１、「狭帯域デジタル通信方式（ＳＣＰＣ／ＦＤＭＡ）」、社団法人電波産業会
【非特許文献２】ＡＲＩＢ  ＳＴＤ−Ｔ７９、「市町村デジタル移動通信システム」、社団法人電波産業会
【発明の開示】
【発明が解決しようとする課題】
【０００４】
しかしながら、上記のようなシステムでは、未だに検討が不十分なところもあり、更なる開発が要求されている。特に、車両に搭載される車載無線機と、その車載無線機に接続される携帯無線機について改良が望まれている。
例えば従来の車載用携帯無線機は、車両に取り付けられている充電器に携帯無線機を装着することで電気的な接続がされる構造としている。
ここで、携帯無線機を装着したまま運用業務を終了する場合に、携帯無線機側の電源を操作者が手動でＯＦＦしていた。
このような場合、次回業務開始に伴う車両の出動時に、車両側のエンジンをＯＮしても自動的に携帯無線機本体側の電源はＯＮされるものではなく、手動にて携帯無線機本体側の電源をＯＮにする必要があり、煩わしさがあった。
【０００５】
本発明は、このような従来の事情に鑑みなされたもので、移動体（車両）の車載無線機と、車載無線機と接続される携帯無線機とを操作が行い易くすることができる携帯無線機及び無線通信システムを提供することを目的とする。
【課題を解決するための手段】
【０００６】
上記従来の問題点を解決するため請求項１に記載の発明は、管理センタと、移動体を有する無線通信システムの車載無線機に接続される携帯無線機において、前記携帯無線機は、前記車載無線機と接続される端子を備え、該端子の構造は、信号の通信を行う接続端子と、電源供給を行う接続端子とを備え、前記携帯無線機が車両に取り付けられている状態において車両のエンジンがＯＮ状態となった場合に前記電源供給を行う接続端子が通電状態となって当該携帯無線機の電源をＯＮとすることを特徴とする。
【０００７】
上記従来の問題点を解決するため請求項２に記載の発明は、管理センタと、移動体を有する無線通信システムにおいて、前記移動体は、車載無線機と、該車載無線機と対をなす携帯無線機とを有し、前記携帯無線機は、前記車載無線機に接続されている状態を検知した場合に、当該移動体が電源ＯＮ状態となった場合に携帯無線機が電源ＯＮ状態となり、当該移動体が電源ＯＦＦ状態となった場合に携帯無線機が電源ＯＦＦ状態となり、前記携帯無線機が、前記車載無線機に接続されていない状態を検知した場合に、当該携帯無線機が外部の無線装置への無線送信の動作を行う無線送信権利を獲得することを特徴とする。
【０００８】
上記従来の問題点を解決するため請求項３に記載の発明は、前記請求項２に記載の無線通信システムにおいて、前記車載無線機と前記携帯無線機には、前記外部の装置からの呼出情報として同一の情報が設定されたことを特徴とする。
【発明の効果】
【０００９】
本発明によると、移動体（車両）の車載無線機と、車載無線機と接続される携帯無線機とを操作が行い易くすることができる携帯無線機及び無線通信システムを提供することができる。
【発明を実施するための最良の形態】
【００１０】
本発明に係る実施例を図面を参照して説明する。
図１には、防災デジタル無線システムの一例である消防デジタル無線システムの構成例を示してある。
本例の消防デジタル無線システムは、操作部８１と表示部８２と記憶部８３を有する指令装置（指令卓）７１と、回線制御装置（無線回線制御装置）７２と、複数であるｐ個の基地局装置Ｇ１〜Ｇｐと、複数であるｐ個の遠隔制御器Ｈ１〜Ｈｐと、複数であるｑ個の移動局装置Ｉ１〜Ｉｑを備えている。
各移動局装置Ｉ１〜Ｉｑは、車載機９１と携帯機９２から構成されており、また、携帯機９２を置くための置台９３を有している。
【００１１】
本例の消防デジタル無線システムは、各都道府県の地域防災のために用いることができる。本例では、指令装置７１や回線制御装置７２は防災センタに設置されており、各基地局装置Ｇ１〜Ｇｐは消防署内或いはビルの上や街中や山上などの外部に設置されており、各遠隔制御器Ｈ１〜Ｈｐは消防署内に設置されており、各移動局装置Ｉ１〜Ｉｑは消防車或いは救急車などの車両に設置されている。
各車両では、例えば、車載機９１や置台９３が当該各車両に取り付けられるなどして搭載されており、携帯機９２は人により持ち運ぶことや置台９３に置くことが可能になっている。
【００１２】
図２には、車載機９１の構成例及び携帯機９２の構成例を示してある。
車載機９１は、アンテナ１０１と、無線部１０２と、キー操作部１０３と、表示部１０４と、マイクを有するマイク部１０５と、例えば２つのスピーカを有するスピーカ部１０６と、メモリ１０７と、携帯インタフェース１０８と、制御部１０９を備えている。
携帯機９２は、アンテナ１１１と、無線部１１２と、キー操作部１１３と、表示部１１４と、マイクを有するマイク部１１５と、スピーカを有するスピーカ部１１６と、メモリ１１７と、車載インタフェース１１８と、制御部１１９を備えている。
【００１３】
車載機９１では、無線部１０２がアンテナ１０１により基地局装置Ｇ１〜Ｇｐとの間で信号を無線送信や無線受信し、キー操作部１０３が人（使用者）からのキー操作を受け付け、表示部１０４が使用者に対して情報を画面に表示し、マイク部１０５が使用者などにより発せられる音（音声）を入力し、スピーカ部１０６が使用者に対して音（音声）を出力し、メモリ１０７が例えば呼び出されるための電話番号となる呼出情報（ＩＤ情報）を記憶し、携帯インタフェース１０８が携帯機９２の車載インタフェース１１８との間で例えば光信号により通信し、制御部１０９が各種の制御を行う。
【００１４】
同様に、携帯機９２では、無線部１１２がアンテナ１１１により基地局装置Ｇ１〜Ｇｐとの間で信号を無線送信や無線受信し、キー操作部１１３が人（使用者）からのキー操作を受け付け、表示部１１４が使用者に対して情報を画面に表示し、マイク部１１５が使用者などにより発せられる音（音声）を入力し、スピーカ部１１６が使用者に対して音（音声）を出力し、メモリ１１７が例えば呼び出されるための電話番号となる呼出情報（ＩＤ情報）を記憶し、車載インタフェース１１８が車載機９１の携帯インタフェース１０８との間で例えば光信号により通信し、制御部１１９が各種の制御を行う。
【００１５】
本例では、携帯機９２が置台９３にセットされている（置かれている）状態では、携帯機９２は無線通信に係る動作は機能せず、電源がＯＮされて通電状態を保持するものとなる。そして、基地局装置Ｇ１〜Ｇｐからの受信や、基地局装置Ｇ１〜Ｇｐへの送信や、キー入力や、表示出力や、音声入力や、音声出力など、基本的な動作は車載機９１により行われる。
一方、携帯機９２が置台９３から取り外された状態では、携帯機９２により基地局装置Ｇ１〜Ｇｐからの受信や、基地局装置Ｇ１〜Ｇｐへの送信や、キー入力や、表示出力や、音声入力や、音声出力など、各種の動作が行われ、この状態では、車載機９１により基地局装置Ｇ１〜Ｇｐからの受信や、表示出力や、音声出力のみが行われる。つまり、車載機９１と携帯機９２とは同一の呼出情報（ＩＤ情報）が設定されており、受信は両方で同時に行うことが可能であるが、送信は片方ずつ行う構成となっている。
【００１６】
なお、置台９３から取り外された携帯機９２は、車載機９１を介さずに、基地局装置Ｇ１〜Ｇｐとの間で直接的に無線通信する。この点は、通常の親子電話の子機とは異なる点であると考えられる。
また、携帯機９２が置台９３にセットされた状態や置台９３から取り外された状態は、車載機９１や携帯機９２により検出されて、それぞれの制御部１０９、１１９によりそのときの状態に応じて実行可能な機能（或いは、実行不可能な機能）が設定される。
【００１７】
また、車載機９１では、２つのスピーカを有しており、例えば、携帯機９２が置台９３から取り外された状態では、基地局装置Ｇ１〜Ｇｐから携帯機９２へ送信される通話の内容を一のスピーカから音声出力するとともに、携帯機９２から基地局装置Ｇ１〜Ｇｐへ送信される通話の内容を他のスピーカから音声出力する。
一例として、消防車などに移動局装置Ｉ１〜Ｉｑが設けられており、当該消防車などが火災などの現場にいて、或る隊員が携帯機９２を持って当該消防車などの外部に出て活動し、他の隊員が当該消防車などの内部で待機する際に、当該他の隊員は車載機９１から出力される音声を聞くことにより、携帯機９２と基地局装置Ｇ１〜Ｇｐとの間で行われる通話の内容を聞くことができる。
【００１８】
また、基地局装置Ｇ１〜Ｇｐの側（例えば、指令装置７１）と移動局装置Ｉ１〜Ｉｑとの間の通信としては、例えば、プレストーク通信が行われる構成が用いられてもよく、或いは、通常の携帯電話のような両方向同時通信が行われる構成が用いられてもよく、或いは、他の態様の通信が行われる構成が用いられてもよい。また、基地局装置Ｇ１〜Ｇｐの側から移動局装置Ｉ１〜Ｉｑへ報知のための情報を送信して、移動局装置Ｉ１〜Ｉｑが当該情報の受信に応じて当該情報を（自動的に）出力するような構成を用いることもできる。
【００１９】
消防車の場合には、例えば、プレストーク通信が用いられ、指令装置７１から複数の消防車の移動局装置Ｉ１〜Ｉｑを呼び出してグループ通信（例えば、事業リンクでのグループ通信）し、このグループ内でプレストーク通信することにより、これら複数の消防車により同一の火災現場の処置を行うことができる。
救急車の場合には、例えば、通常の電話のような通信が用いられ、発話（発呼）及び受話により通話を行うことができる。
また、例えば、車載機９１と携帯機９２との間で離れた所でも無線により通信することが可能な機能を車載機９１及び携帯機９２に設けることも可能である。この場合、一例として、トンネル内などの不感地帯で携帯機９２を車両の外部に持ち出すときに、車載機９１と携帯機９２をトランシーバのように用いて互いに通話することができる。
【００２０】
図３には、携帯機９２及び置台９３の構造例を示してある。
置台９３は、車両に取り付けられる充電器であり、携帯機の背面側に電源端子部分があって、充電器の電源端子と合致して電気的な接続がされて充電されるものである。
他に、携帯機９２には充電器側とのデータ通信がされる光接続部がある。
充電器の電源端子は携帯機が置かれた状態となると、携帯機の電源端子部分に押されてバネ力により圧着することにより通電状態を保持する。
充電器は、車両にケーブル等により電気的接続がされており、携帯機が置かれている状態を検知し、車両のエンジンのＯＮに連動して電源供給されると共に、携帯機の電源ＯＮ状態とするものである。
また、携帯機が置かれている状態において、車両のエンジンのＯＦＦに連動して携帯機の電源ＯＦＦ状態とするものである。
なお、充電器の電源端子の上側部分にカバーとなる突起が施されており、携帯機が装着されることにより、外部からの水分は浸入し難い構造となっている。
【００２１】
図４には、携帯機９２の組み立て構造の例を示してある。
携帯機９２は、ベース、電源端子、ＦＰＣ、コネクタケーブルからなる電源端子部分を、本体背面となるシャーシに取付け部を設けて、メイン基板に接続することで、電源端子部分を嵌め込んだ構造としている。
そしてシャーシ内側部分より電源端子部にＦＰＣを組立し半田付けがされており、コネクタケーブルによりメイン基板との接続を行っている。
このような組み立て構造とすることにより電源端子部分を省スペースで実装することができ信頼性の高い電源端子構造を確保することができる。
また、メイン基板の表面側よりシールド板、キースイッチ基板、キースイッチ保護材、フロント筐体、表示部材を嵌め込んで携帯機の組み立て構造としている。
ここで、電源端子部分に充電器（置台９３）の電源端子が圧接されると通電可能な状態となり、車両のエンジンがＯＮされると通電常態となって携帯機の電源もＯＮとなる。
すなわち、車両取付用充電器に携帯無線機を装着した時に手動にて電源をＯＮ，ＯＦＦすることなく、自動的に電源をＯＮ，ＯＦＦするための電源端子構造としている。
【００２２】
上述した携帯無線機及び無線システムによれば、緊急出動時に電源ＯＮ，ＯＦＦの動作は手動で行う必要がなく、操作者が忘れといったことがなくなり、通信業務において支障をきたすことがない。
又、業務終了後車両側のエンジンをＯＦＦした時に携帯無線機本体側の電源が自動的にＯＦＦされない場合、充電された電池パックが空になり次回出動時に電池パックを交換しなくてはならいといったことがない。
また、省スペースにて実装できるので端子数が増加した時に対応できる。
また、このような携帯無線機の電源端子は、携帯無線機落下時に強い端子構造を得られる。
また、このような電源端子は、端子部の防水機能の効果が高まる。
さらに、電気性能改善時にＦＰＣのみ基板変更にて対応できる。
このように、携帯無線機において車両取付用充電器装着時車両エンジンＯＮ時に自動的に携帯無線機本体側の電源ＯＮすることができる電源端子構造とすることができる。
【図面の簡単な説明】
【００２３】
【図１】防災デジタル無線システムの一例である消防デジタル無線システムの構成例を示してある。
【図２】車載機の構成例及び携帯機の構成例を示してある。
【図３】携帯機及び置台の構造例を示してある。
【図４】携帯機の組み立て構造の例を示してある。
【符号の説明】
【００２４】
７１・・指令装置、  ７２・・回線制御装置、  ８１・・操作部、  ８２、１０４、１１４・・表示部、  ８３・・記憶部、  ９１・・車載機、  ９２・・携帯機、  ９３・・置台（充電器）、  Ｇ１〜Ｇｐ・・基地局装置、  Ｈ１〜Ｈｐ・・遠隔制御器、  Ｉ１〜Ｉｑ・・移動局装置、  １０１、１１１・・アンテナ、  １０２、１１２・・無線部、  １０３、１１３・・キー操作部、  １０５、１１５・・マイク部、  １０６、１１６・・スピーカ部、  １０７、１１７・・メモリ、  １０８・・携帯インタフェース、  １０９、１１９・・制御部、  １１８・・車載インタフェース。
【図１】
0004603503.tif 000002
【図２】
0004603503.tif 000003
【図３】
0004603503.tif 000004
【図４】
0004603503.tif 000005